(57)【要約】【課題】分解発酵菌を用いた生ゴミ処理装置であって、分解発酵能力を高くして、かつほとんど無臭の生ゴミ処理装置を提供する。【解決手段】生ゴミ処理装置の本体には複数の細孔を設け、その排気口を吸気ファン付の脱臭筒に接続して負圧を保つ。人体検出可能の物件検出センサを設けて前記排出口から出力するガスを人体検出の場合には脱臭装置側へ放出するよう切換制御する。脱臭装置本体は携帯可能として、その内部にバイオ菌床材料を乾燥して成る乾燥剤Ａと活性炭ＢとゼオライトＣの内少なくとも２種の脱臭機能剤を含めて脱臭機能を高め、メンテナンスをも容易とした。【選択図】図1
2008155090.tif 000002
【特許請求の範囲】
【請求項１】
好気性分解発酵菌を収納するバイオ菌床槽を密閉状態で収納する箱形容器と、
前記箱形容器の上部に配置され前記バイオ菌床槽に対し生ゴミを投入可能で気密性のある生ゴミ投入蓋と、
カッタ機能を備えた複数の撹拌羽根を有して、前記バイオ菌床槽内に配置される中心軸と、
前記中心軸を回転駆動し前記撹拌羽根で前記バイオ菌床槽内に投入したバイオ菌床材料を撹拌する回転駆動モータと、
前記回転駆動モータを予め定めたシーケンスに基き一定時間を置いて且つ間欠的に正逆方向に回転駆動するモータコントローラと、
前記バイオ菌床槽の底部に設けたコンポスト取出口と、
前記バイオ菌床槽内の温度を３０〜８０℃に維持するための温度センサ及びヒータ並びに温度コントローラと、
前記バイオ菌床槽の上部で前記箱形容器の一側に設けた排気口と、
前記排気口から離れた位置で前記箱形容器の上部に設けられ前記バイオ菌床槽と外気とを連通して微量空気の流通を可能とする直径２〜５ｍｍの複数の細孔と、
前記細孔の一部を盲にすることができるプラグと、を備えて構成される生ゴミ処理装置本体と、
前記箱形容器の一側に立設される吸気ファン付の排気筒と、
吸入口及び排気口を有して携帯可能に形成され、前記菌床材料を乾燥して成る乾燥剤Ａ、活性炭Ｂ、ゼオライトＣの内少なくとも２種の機能剤を独立に交換自在の形で層分けして収納し最終層側からの吸引によりＡからＢ、ＢからＣの順で通気できる構造の脱臭装置本体と、
前記箱形容器の前方付近に接近した物件を検出する物件検出センサと、
２股部材とホースから成り前記箱形容器の排気口を２股に分けその内一方を電磁開閉弁を介して前記吸気ファン付排気筒の途中に接続すると共に他方を前記脱臭装置本体の吸入口と接続し、さらに前記脱臭装置本体の排気口を前記排気筒の入力端に接続する接続部材と、
前記物件検出センサが物件検出したとき前記電磁開閉弁を閉じ前記箱形容器からの排気の全量を前記脱臭装置本体に対して供給する電磁開閉弁コントローラと、
前記物件検出センサが非作動で前記生ゴミ投入蓋を閉じた状態では前記細孔から流入した微量の空気を前記バイオ菌床槽から発生した蒸気と共に前記排気筒に対して供給すると共に、前記物件検出センサが作動した場合には前記電磁開閉弁を閉じて前記細孔から流入した微量の空気を前記バイオ菌床槽から発生した蒸気と共に、あるいは前記生ゴミ投入蓋の開放によって該生ゴミ投入蓋から流入した空気の全量を前記脱臭装置本体に対して供給する構成としたことを特徴とする生ゴミ処理装置。
【請求項２】
前記箱形容器の負圧度は極微小であり、前記箱形容器の排気口から排気される風量を前記バイオ菌床槽内に投入されるバイオ菌床材料の容積１００％に対し、１分間当り夏季で１０〜２０％前後、冬季で５〜１０％前後の容量とし、前記投入蓋を開けた状態では両季共に５０〜１００％前後の容量となるよう調節したことを特徴とする請求項１記載の生ゴミ処理装置。
【請求項３】
前記細孔及びプラグに代えて、複数のコック又は複数の弁とし、これらコック又は弁の開閉で流入空気の量を調節するようにしたことを特徴とする請求項１記載の生ゴミ処理装置。
【発明の詳細な説明】
【技術分野】
【０００１】
本発明は、生ゴミを分解発酵し一昼夜のうちにほとんど消滅させてしまう生ゴミ処理装置に関し、特に装置周りにほとんど臭いを発生しないようにした無臭の生ゴミ処理装置に関する。
【背景技術】
【０００２】
近年、生ゴミを分解発酵させ一昼夜の間に消滅させてしまう生ゴミ処理装置が開発され、既に実用化されている。
【０００３】
特開２００２−１７７９２６号公報（生ゴミ消滅装置）は、生ゴミ処理材として天然木材をチッピングして得られるチップ材を主成分として用い、この処理材で培養される大量の細菌に餌を与える形で所要量の生ゴミを投入し、これを一昼夜のうちに消滅させてしまうことができる。
【０００４】
特許公開２００５−１６１１２１号公報（生ごみ処理装置）は、生ゴミを投入できる処理槽を備え、開閉自在の蓋より投入した生ゴミを加熱、撹拌し、適宜の換気を与えて生ゴミを消滅させることができる。これらの処理装置において、消滅能力は処理材としてのバイオ発酵能力によるものであり、その能力は日々向上しつつある。
【０００５】
しかしながら、これら従来よりの生ゴミ処理装置は、いずれも生ゴミを一昼夜のうちに消滅させることができ、かつ日々向上しているが、臭気の発生について問題があった。この臭気はバイオ分解発酵能力によるが、処理中の生ゴミの一部腐敗を避けられず、どうしても環境中に臭いを発生し、装置回りに微妙な臭いを漂わせていた。従って、設置の場所に気を配らねばならず、特に生ゴミ投入する際、投入蓋を開けるのに抵抗があった。
【０００６】
特許公開平１０−２４９３１９号公報（悪臭のない生ゴミ処理機）は、これら臭いの問題を解決すべく、発酵槽を負圧に保つブロワーを設け、投入口の蓋を開けると吸引空気が脱臭部材を通って脱臭されると共に、投入者に対して悪臭を放つことがないようにしている。
【０００７】
しかしながら、特許公開平１０−２４９３１９号公報に示される生ゴミ処理装置では、発酵槽の負圧を保つためやみくもにブロワー等で吸引し、脱臭部材で脱臭するという構成であるため、発酵槽の発酵作用に対する影響が考慮されておらず、最適状態での運転ができているか否かに疑問がある。また、吸引ガスを脱臭部材で脱臭するとしているが、活性炭やゼオライトから成る脱臭材に多量のガスを通し続けると、容易に飽和に達し、永続しての使用に耐えることができないという問題点があった。つまり、発酵槽に生ゴミを投入し分解発酵を開始すると、ガス量にしてバイオ菌床材料の体積を上回る多量の蒸気が発生し、数日、長くとも１週間もすると脱臭機能が飽和してしまう。さりとて、脱臭部材の量を増し一月以上持つようにしようとすると、脱臭部材の量を多大な量としなければならず、これでは経済的にも資源的にも実用が困難となる。
【０００８】
そもそも、従来の脱臭装置は悪臭を全て脱臭してしまうという考え方が強いが、近年のバイオ菌床材料の改良により、臭いの物質は極めて微量とすることができ、この微量な量の臭い成分を装置に近づいてきたときだけ完全に取り除けば十分であるという点を見過ごしている。
【特許文献１】特開２００２−１７７９２６号公報、第１頁、図４
【特許文献２】特許公開２００５−１６１１２１号公報、第１頁、図１
【特許文献３】特許公開平１０−２４９３１９号公報、第１頁、図１
【発明の開示】
【発明が解決しようとする課題】
【０００９】
本発明は、上記背景技術に鑑みて、好気性分解発酵菌から成るバイオ菌床を有し、生ゴミを分解発酵させて消滅させる生ゴミ処理装置において、高度のバイオ菌床を用いてほとんど臭いの発生しない生ゴミ処理装置を提供することを目的とする。
【００１０】
また、処理装置本体に脱臭装置本体を取付け、高度のバイオ菌床を用いていながらも僅かに発生する微臭を無臭と言えるほどに取り除き、臭いのほとんど気にならない生ゴミ処理装置を提供することを目的とする。
【００１１】
さらに、脱臭装置を適切に構成することにより、メンテナンスを容易として長期の使用に耐え、かつ付加価値高く実用的なものとすることを目的とする。
【課題を解決するための手段】
【００１２】
上記課題を解決するための本発明の生ゴミ処理装置は、生ゴミ処理装置本体と、脱臭装置本体及びその付属部材から成る。生ゴミ処理装置本体は、好気性分解発酵菌を収納するバイオ菌床槽を密閉状態で収納する箱形容器と、前記箱形容器の上部に配置され前記バイオ菌床槽に対し生ゴミを投入可能で気密性のある生ゴミ投入蓋と、カッタ機能を備えた複数の撹拌羽根を有して、前記バイオ菌床槽内に配置される中心軸と、前記中心軸を回転駆動し前記撹拌羽根で前記バイオ菌床槽内に投入したバイオ菌床材料を撹拌する回転駆動モータと、前記回転駆動モータを予め定めたシーケンスに基き一定時間を置いて且つ間欠的に正逆方向に回転駆動するモータコントローラと、前記バイオ菌床槽の底部に設けたコンポスト取出口と、前記バイオ菌床槽内の温度を３０〜８０℃に維持するための温度センサ及びヒータ並びに温度コントローラと、前記バイオ菌床槽の上部で前記箱形容器の一側に設けた排気口と、前記排気口から離れた位置で前記箱形容器の上部に設けられ前記菌床槽と外気とを連通して微量空気の流通を可能とする直径２〜５ｍｍの複数の細孔と、前記細孔の一部を盲にすることができるプラグと、を備えて構成される。脱臭装置本体及び付属部材は、前記箱形容器の一側に立設される吸気ファン付の排気筒と、吸入口及び排気口を有して携帯可能に形成され、前記菌床材料を乾燥して成る乾燥剤Ａ、活性炭Ｂ、ゼオライトＣの内少なくとも２種の機能剤を独立に交換自在の形で層分けして収納し最終層側からの吸引によりＡからＢ、ＢからＣの順で通気できる構造の脱臭装置本体と、前記箱形容器の前方付近に接近した物件を検出する物件検出センサと、２股部材とホースから成る。前記箱形容器の排気口を２股に分けその内一方を電磁開閉弁を介して前記吸気ファン付排気筒の途中に接続すると共に他方を前記脱臭装置本体の吸入口と接続し、さらに前記脱臭装置本体の排気口を前記排気筒の入力端に接続する接続部材と、前記物件検出センサが物件検出したとき前記電磁開閉弁を閉じ前記箱形容器からの排気の全量を前記脱臭装置本体に対して供給する電磁開閉弁コントローラと、前記物件検出センサが非作動で前記生ゴミ投入蓋を閉じた状態では前記細孔から流入した微量の空気を前記バイオ菌床槽から発生した蒸気と共に前記排気筒に対して供給すると共に、前記物件検出センサが作動した場合には前記電磁開閉弁を閉じて前記細孔から流入した微量の空気を前記バイオ菌床槽から発生した蒸気と共に、あるいは前記生ゴミ投入蓋の開放によって該生ゴミ投入蓋から流入した空気の全量を前記脱臭装置本体に対して供給する構成である。
【００１３】
前記箱形容器の負圧度は極微小であり、前記箱形容器の排気口から排気される風量を前記菌床の容積１００％に対し、１分間当り夏季で１０〜２０％前後、冬季で５〜１０％前後の容量とし、前記投入蓋を開けた状態では両季共に５０〜１００％前後の容量となるよう調節する。
【００１４】
本発明の生ゴミ処理装置について作用を示すと次の通りである。
【００１５】
好気性分解発酵菌としては、腐葉土を用いて培養した特殊菌を用いる。この特殊菌は従来比のない高分解発酵機能を有し、これを用いて作った生ゴミ処理装置は、臭いが少ないと高評のものであるが、本発明はこの好気性分解発酵菌を用いてバイオ菌床を作ることを条件とするのみで、これを特許請求するものではない。
【００１６】
箱形容器の内部にはバイオ菌床槽が設けられ、その中心を通る中心軸には撹拌羽根が設けられていて、中心軸をモータコントローラで駆動することにより、一定時間（例えば２時間）を置いて間欠的に正、逆方向に回転駆動される。この間バイオ菌床は３０〜８０℃（例えば６０〜７０℃）に保たれる。従って、バイオ菌床槽に投入されたバイオ菌床材料及びその上部に投入された生ゴミは空気を混じえて混合され、生ゴミは効率よく、一昼夜をかけてほとんど完全に分解発酵される。
【００１７】
前記箱形容器は密閉構造とされているが、微量空気を流通可能の複数の細孔と、排気口とが設けられ、この排気口を吸気ファン付の排気筒と接続することにより、細孔から流入した空気で酸素補給しつつ、内部で発生した蒸気及び臭気を排気口から排出できる。空気、蒸気、臭気混ざりの気体を以下ガスとも呼ぶ。この間排気筒から吸気ファンによって吸気する方式であるので、箱形容器の内部を常時負圧に保つことができる。この負圧は、例えば０．００５ＭＰＳ程度の極微圧であり、この種負圧は排気筒の頂部に設けたシロッコファンなどの駆動により、容易に達成できる。
【００１８】
細孔は複数設けられ、その一部をプラグで盲にすることができるよう構成しているので、例えば５個設け、夏季は３個開けて残り２個を盲とし、あるいは冬季には１個開けて残り４個を盲にするなど、季節に応じて任意の調節が可能である。排気筒から極微圧で空気を引き、箱形容器には直径２〜５ｍｍ程度の細孔から空気が流入するので、バイオ菌床材料の容量が例えば３０〜２００リットルであれば、１分間辺りの空気流入量を１．５リットル〜２０リットル等と適切に調節できる。この量はバイオ菌床から最大発生する蒸気量に見合わせて調節すればよいのであって、無闇に大量の蒸気や空気（ガス）を引く必要はない。感覚的な量で示すと、排気筒の出力口に手を触れて、モワーとガスの流通が軽く感じられる程度である。
【００１９】
生ゴミ投入口から生ゴミを投入すると、略２４時間後に完成消滅する。バイオ菌床材料の耐久年数は商品によって異なるが、本発明で用いた特殊菌であれば、２年間継続使用できる。ただし、生ゴミの種類や投入量によって機能阻害されることがあるので、生ゴミの投入の仕方については別途説明書が添付されねばならない。
【００２０】
次に、本発明の生ゴミ処理装置の本体には脱臭装置が付属されている。この脱臭装置は携帯可能の脱臭装置本体と、ホースやチーズ、その他電磁開閉弁の接続部材と、人体の接近を感知可能の物件検出センサを有しており、脱臭装置本体には、前記バイオ菌床と同質の乾燥剤Ａ、活性炭Ｂ、ゼオライトＣの内少なくとも２種の機能剤が交換自在に層分けして収納され、最終層側からの吸引によりＡからＢ、ＢからＣの順で通気できるようになっている。
【００２１】
従って、脱臭装置本体の吸入口を前記箱形容器の排気口と接続し、排気口を前記排気筒の入力端に接続することにより、前記電磁開閉弁が閉じられていることを条件として前記箱形容器からの排気を脱臭装置本体に吸引し、脱臭することができる。少なくとも２種の脱臭剤を通すので、臭気をほとんど完全に消すことができる。
【００２２】
さらに本願発明では物件センサを設け、生ゴミ処理装置本体に近づく物、例えば生ゴミ投入者を検出することができ、その検出があったときのみ箱形容器の排気を脱臭装置に通して完全脱臭するので、接近する者に臭いを感じさせることはほとんどない。
【００２３】
また、生ゴミ投入口を開けると、負圧の容器内に空気が流入し、臭いと共に内部ガスを排気口から脱臭装置本体へ向けて排出し脱臭するので、生ゴミ投入者に臭いを感じさせることもほとんどない。
【００２４】
保守メンテナンスについて示すと、バイオ菌床槽の底部にコンポスト取出口を設けているので、所要のときに、又は１〜２年に１回のバイオ菌床交換のとき、コンポスト取出口を開けてコンポストを取出すことができる。菜園のコンポストを取扱っているのと同一レベルであるので、このときの臭いはほとんど気にならない。従ってこのときに脱臭装置を作動させる必要もない。
【００２５】
脱臭装置のメンテナンスはほとんど不要である。誤って機能剤を損傷した場合、或いは任意にＡ、Ｂ、Ｃの材料を交換したい場合には、個別に交換自在としているので、容易に交換できる。機能剤Ａをバイオ菌床材料と同一としているので、バイオ菌床材料の補充にも利用できる。経験則によれば、Ａ、Ｂ、Ｃ機能剤を収納した脱臭装置本体に箱形容器から連続して多量のガスを供給した場合、１００時間以上完全に脱臭できる能力を有するので、仮に毎日の投入によって物件検出センサが毎日５〜１０分間作動し、箱形容器から脱臭装置本体へ向けてガスが流入したとしても１ヶ月で約１５０〜３００分、１年で１８００〜３６００分（３０〜６０時間）続けて脱臭する能力を有し、１年以上の耐久性を有する。従って、半年〜１年に１度の点検作業で十分である。保守メンテナンスは極めて容易である。
【００２６】
細孔及びプラグから成る空気流入量調節手段は、直径２〜５ｍｍの細孔を備えた複数のコックや複数の弁で構成することができる。１個の弁の開度で調節することも可能である。
【発明の効果】
【００２７】
以上の通り、本発明は特許請求の範囲の通りの構成を有するので、環境に、また生ゴミ投入者に対して臭いをほとんど感じさせることがない高性能生ゴミ処理装置とすることができる。
【００２８】
脱臭装置本体を携帯可能としたので、保守点検の際容易に交換できる。
【００２９】
脱臭機能剤を菌床材料を乾燥して成る乾燥剤Ａ、活性炭Ｂ、ゼオライトＣの内少なくとも２種の機能剤を含めたので、アンモニア臭、アルデヒド臭、その他の臭気を確実に除去できる。交換自在にするので生ゴミ種別によっての適合性が高く、かつ乾燥剤Ａとして菌床材料Ａを含めているのでバイオ菌床材料の補充にも利用できる。
【００３０】
物件検出センサを設け、生ゴミ投入者が近づいたときに脱臭装置が作動するようにしたので、１００時間以上継続使用ができる脱臭剤を用いれば、仮に１回５〜１０分間作動したとしても、少なくとも１年間は完全な脱臭機能が作用し、生ゴミ処理装置本体からはほとんど一切臭いがしないようにすることができる。
【００３１】
排気筒からガスを引いて生ゴミ処理装置を常時負圧に保つといえども、排気筒の吸気ファンとしては小容量のもので良く、省エネ的である。
【００３２】
負圧とされた箱形容器に複数の細孔及びプラグ又は複数のコック、あるいは複数の開閉弁を設けて導入空気量を微調節できる構造であるので、夏季又は冬季など季節に併せて導入空気量を最適に調節でき、バイオ菌床を高度に活動させることができ、生ゴミ分解発酵を常時高効率で作用させることができる。
【発明を実施するための最良の形態】
【００３３】
以下、添付図面を参照し、本発明を実施するための最良の形態を説明する。図１は装置全体を示す斜視図で、図１〜図６は装置構成を、図７〜図９はその制御方式を示す説明図である。
【００３４】
図１〜図４に示すように、好気性分解発酵菌を収納するバイオ菌床槽１を密閉状態で収納する箱形容器２と、前記箱形容器２の上部に配置され前記バイオ菌床槽１に対し生ゴミを投入可能で気密性のある生ゴミ投入蓋３とを備えている。
【００３５】
前記箱形容器２の前面には電気制御盤４が設けられ、その表面には給餌状況を示す報知ランプ５、６、７が設けられている。この報知ランプ５、６、７は投入蓋３を開けた後の時間を計測し、生ゴミ再投入の可能性を報知するものであるが、その作用については図９を用いて説明する。
【００３６】
前記生ゴミ投入蓋３には把手８が設けられ、この把手８を持ち上げることにより蓋３を開けて生ゴミを投入することができる。投入蓋３と箱形容器２の傾斜面９に立上げて設けたフランジ部１０との間にはシール材１１が設けられ、生ゴミ投入蓋３を閉じた状態では箱型容器２の内部を気密に保つことができる。
【００３７】
前記フランジ部１０の前面には、複数の細孔（本例では３個）１２、１３、１４が設けられ、これを盲とすることができるプラグ１５、１６、１７が準備されている。細孔１２、１３、１４の直径は２〜５ｍｍである。また、箱形容器２の上部側面には排気口１８が設けられ、投入蓋３を閉じ、排気口１８から内部ガスを吸引する場合には、プラグ１５、１６、１７で盲にされていない細孔１２、１３、１４から箱形容器２の内部に空気を導入可能となっている。
【００３８】
前記バイオ菌床槽１には、カッタ機能を備えた複数の撹拌羽根１９、２０、２１、２２、２３を有して、前記バイオ菌床槽１内に配置される中心軸２４が設けられ、この中心軸２４を回転駆動して前記撹拌羽根１９、２０、２１、２２、２３で前記バイオ菌床槽１内に投入したバイオ菌床材料２５を撹拌する回転駆動モータ２６が設けられている。
【００３９】
図５、図６に詳細に示すように、撹拌羽根１９、２０、２１、２２、２３は、厚み２〜３ｍｍ程度の板金を１２０度の角度で曲げて、その中心に中心軸２４を置き、曲げた板金の一方ＦＴを長く、他方ＢＫを短く形成すると共に、短い方の羽根ＢＫの前方に切刃部２７を設け、長い方の羽根ＦＴに掬い部２８を設けて、切断を行いながら効率よく撹拌できるようになっている。
【００４０】
図４に示すように、各撹拌羽根１９、２０、２１、２２、２３は、中心軸２４に７２度ずつ角度を変えて取付けられ、槽内全体を万遍に撹拌できるようになっている。回転駆動モータ２６と中心軸２４はチェーン２９で連結されている。
【００４１】
前記バイオ菌床槽１の底部には、コンポスト取出口３０が設けられ、これに併せて箱形容器２の前面で下方には扉３１が設けられている。コンポスト取出口３０の気密を保てば対応扉３１の気密を保つ必要はない。従って、扇を開け、コンポスト取出口３０からコンポストを取出すことができる。前記バイオ菌床槽１内の温度を３０〜８０℃に維持するため前記バイオ菌床槽１の裏面にはヒータ３２が設けられ、バイオ菌床槽１の内部で上方にはバイオ菌床槽１内の温度を検出する温度センサ３３が設けられている。従って、槽内温度を例えば６０〜７０℃の範囲で保温することができる。温度コントローラについては図示を省略する。
【００４２】
図２に示すように、脱臭装置本体３４には吸入口３５と排気口３６が設けられ、その内部は仕切り板３７、３８を介して３層に区分されている。また、蓋３９には把手４０が設けられ携帯可能となっている。蓋３９の下面には仕切り板４１、４２、４３が設けられ、蓋３９をしたとき各層の中間部に仕切り板４１、４２、４３を下面近くまで挿して、各層に入れた材料Ａ、Ｂ、Ｃを２分し、吸入口３５から入力したガスを矢印４４、４５、４６で示すように材料全体を上下に通すようになっている。脱臭装置本体３４の蓋３９には蝶番及びフック３９Ｆ（図１）が設けられ、このフック３９Ｆを外すことにより蓋３９を開けることができる。
【００４３】
前記箱形容器２の一側で後方には吸気ファン４７付の排気筒４８が立設されている。また前記箱形容器２の排気口１８には２股のチーズ４９が設けられ、一方はバタフライ弁方式の電磁開閉弁５０を介して前記排気筒４８に接続し、他方はホース５１を介して前記脱臭装置本体３４の吸入口３５に接続している。脱臭装置本体３４の排気口３６は、ホース５２を介して排気筒４８の下端である入力端に接続している。
【００４４】
前記脱臭装置本体３４の前面には物件検出センサ５３が設けられている。このセンサ５３は、人体検出センサとも呼ばれ、箱形容器２に近づく人や物があると反応し、接近物があれば前記電磁開閉弁５０を閉じる構成となっている。そのコントローラについては図示を省略する。従って、箱形容器２の排気口１８からのガスは、通常は排気筒４８に向けて排気されるが、人や物が検出された状態では電磁開閉弁５０が閉じられるので、ガスは脱臭装置本体３４側へ排出される。人以外に犬が通った場合、或いは荷物を置いたような場合もセンサ反応するが、別に構わない。反応と同時に犬や猫の鳴き声を出して、防犯に使うこともできる。故意に荷物を置いて脱臭機能を長時間実現させることも可能である。
【００４５】
図７に示すように、バイオ菌床槽１の温度は６０℃から７０℃に保温できるようになっている。即ち、温度センサ３３が７０℃に到達すると、ヒータ３２が切れ、６０℃に到達する。そこで、２分間程度の時間を置いてヒータ３２をオンすると、２時間（１２０分）程度の時間をかけてゆっくり７０℃まで温度上昇する。そこでヒータを切るとゆっくり温度低下するので、６０℃まで低下したら再度ヒータ３２をオンする。生ゴミを投入するとバイオ菌床材料は発熱するのでヒータ容量は小さくて良い。これらにより、バイオ菌床槽１の温度は６０〜７０℃に保たれる。
【００４６】
図８は中心軸２４の回転駆動方式を示すフローチャートである。ステップ８０１で生ゴミ投入蓋３が開かれると安全スイッチ５４が作動し、ステップ８０２でその場停止するが、蓋３が閉じられると、ステップ８０３で示したシーケンスによって回転駆動する。即ち、中心軸２４は、２分間左回転し、次いで１分間右回転し、これを２時間毎に繰り返す。従って、バイオ菌床槽１は撹拌羽根１９、２０、２１、２２、２３によって撹拌され、大きな生ゴミを破砕し、混合し、酸素の供給が為され、生ゴミ分解発酵を促進できる。
【００４７】
図９は、生ゴミを投入可能か否かを報知することのできる給餌状況報知方式を示すフローチャートである。即ち、生ゴミ分解発酵菌による生ゴミ処理装置は、１回辺り処理できる量に制限があり、通常生ゴミは１日１〜２回投入できる。２回の場合は投入可能量の１／２ずつとする。
【００４８】
そこで、ステップ９０１で時間Ｔを計測し、ステップ９０２で生ゴミ投入蓋３の開閉状況を調べ、前に蓋を開いて後、次に開かれるまでの時間Ｔにより、６時間以内は赤色のランプ５を、６〜１２時間以内は黄色のランプ６を、２時間以上経ったら青色ランプ７を点灯し、恰も犬に餌を与えるが如く満腹、間食、空腹状況を報知できるようにしたものである。従って、利用者が家族であったり、従業員であったり、多数の者が取扱う場合、既に生ゴミ投入したか否か等を知るのに便利である。赤色ランプ５や黄色ランプ６が点灯している場合は投入不可と考え、青色ランプであれば長時間蓋３が開いてないのであるから生ゴミ投入可能であると見ることができる。
【００４９】
以上の構成の生ゴミ処理装置について、その作用を示すと次の通りである。
【００５０】
まず、箱形容器２の内部にはバイオ菌床槽１が設けられ、その中心を通る中心軸２４には撹拌羽根１９、２０、２１、２２、２３が設けられているので、回転駆動を電気制御盤４中に設けたモータコントローラで駆動することにより、一定時間（例えば２時間）を置いて間欠的に正、逆方向に回転駆動できる。この間バイオ菌床は６０〜７０℃に保たれている。従って、バイオ菌床槽１に投入された生ゴミは空気を交えて混同され、生ゴミは効率よく分解発酵される。
【００５１】
箱形容器２は密閉構造とされていて、微量空気を流通可能の複数の細孔１２、１３、１４と、排気口１８とが設けられ、この排気口１８を吸気ファン４７付の排気筒４８と接続しているので、細孔１２、１３、１４から流入した空気で酸素補給しつつ、内部で発生した蒸気及び臭気を排気口１８から排出できる。排気筒４８から吸気ファン４７によって吸気する方式であるので、箱形容器２の内部は常時負圧に保たれている。この負圧は、例えば０．００５ＭＰＳ程度である。
【００５２】
細孔１２、１３、１４は複数設けられ、その一部をプラグ１５、１６、１７で盲にすることができるので、季節に応じて任意の調節が可能である。排気筒４８から極微圧でガスを引き、箱形容器２には直径２〜５ｍｍ程度の細孔１２、１３、１４から空気が流入するので、菌床容量が例えば３０リットルであれば、１分間辺りの空気流入量を１．５リットル程度にするなど適切に調節できる。
【００５３】
生ゴミ投入蓋３を開けて生ゴミを投入すると、略２４時間後に完全消滅する。処理能力はバイオ菌床材料３０リットルタイプのもので１日２〜４ｋｇで、半量ずつ１日２回に分けて投入するのも構わない。
【００５４】
投入可能の生ゴミとしては、野菜の切りクズ、残飯、魚、タマゴ殻、魚の骨、牛乳等であり、食油については水溶性のトイレットペーパーに浸み込ませて投入するのも構わない。
【００５５】
投入不可能の生ゴミとしては、石油製品、貝殻、ビン、ガラス、衣類、金属類、不溶の紙、陶器、ゴム等が挙げられている。塩分についてはできる限り洗い流してから投入すべきである。多量に与えると、分解能力が低下する。
【００５６】
次に、本発明の生ゴミ処理装置の本体には、脱臭装置が付属されている。電磁開閉弁５０が開かれている場合には、ガスを排気筒４８に対して流し、細孔１２、１３、１４から所要の空気を流入させ、バイオ菌床材料２５に酸素を与え分解発酵を促進できる。一方で、生ゴミ投入に際し、箱形容器２の前面に人が近づいてきた場合には物件検出センサが作動し、電磁開閉弁５０を閉じ、ガスを脱臭装置３４に供給することができる。従って、前記箱形容器２からの排気を脱臭装置本体３４に吸引し、脱臭することができる。ここでは、少なくとも２種の脱臭剤を通すので、臭気をほとんど完全に消すことができる。従って、生ゴミ投入者等、接近する者に臭いを感じさせることはほとんどない。
【００５７】
また、生ゴミ投入口３を開けると、負圧の容器内に空気が流入し、臭いと共に内部ガスを排気口から脱臭装置本体へ向けて排出し脱臭するので、生ゴミ投入者自身に臭いを感じさせることもほとんどない。
【００５８】
保守メンテナンスについて示すと、バイオ菌床槽１の底部にコンポスト取出口３０を設けているので、所要コンポストを取出すことができる。
【００５９】
脱臭装置のメンテナンスはほとんど不要である。誤って機能剤を損傷した場合、或いは任意にＡ、Ｂ、Ｃの材料を交換したい場合には、脱臭装置本体３４をそっくり交換することもでき、その蓋３９を開けて、一部交換することもできる。
【００６０】
機能剤Ａにバイオ菌床そのものとしているので、バイオ菌床の補充にも利用できる。脱臭剤Ａ、Ｂ、Ｃは、１００時間以上完全に脱臭できる能力を有するので、仮に毎日の投入によって物件検出センサが毎日５〜１０分間作動し、箱形容器２から脱臭装置本体３４へ向けてガスが流入したとしても、１ヶ月で約１５０〜３００分、１年で１８００〜３６００分（３０〜６０時間）続けて脱臭することができ、１年以上の耐久性を有する。従って、半年〜１年に１度の点検作業でよい。
【００６１】
以上の実施形態の説明では、生ゴミ処理装置本体２と脱臭装置本体３４とを組み合わせて示したが、一般的な生ゴミ処理装置に本発明の脱臭装置を組み合わせて構成できる。この場合、一般的な生ゴミ処理装置に脱臭装置本体３４と脱臭筒４８を組み合わせる形になるが、一般的な生ゴミ処理装置に細孔１２、１３、１４及びプラグ１５、１６、１７による空気導入量の調節手段を追加設置しなければならない。
【００６２】
細孔及びプラグから成る空気流入量調節手段は、直径２〜５ｍｍの細孔を備えたと同等の量の空気を通過できる複数のコックや複数の弁で構成することができる。
【００６３】
本発明は上記実施形態に限定されるものではなく、適宜の設計的変更を行うことにより、各種態様で実施できる。
【図面の簡単な説明】
【００６４】
【図１】本発明の一実施形態に係る生ゴミ処理装置の全体構成を示す斜視図である。
【図２】脱臭装置本体の構造を示す断面説明図である。
【図３】生ゴミ処理装置本体の内部構造を示す横断面説明図である。
【図４】生ゴミ処理装置本体の内部構造を示す縦断面説明図である。
【図５】撹拌羽根の斜視図である。
【図６】図５に示した撹拌羽根の平面図である。
【図７】バイオ菌床材料の制御温度グラフである。
【図８】中心軸の回転制御方式を示すフローチャートである。
【図９】給餌状況を報知するランプの点灯制御の方式を示すフローチャートである。
【符号の説明】
【００６５】
１  バイオ菌床槽
２  箱形容器
３  生ゴミ投入蓋
４  電気制御盤
給餌状況報知ランプ
８、４０  把手
９  傾斜面
１０  フランジ部
１１  シール材
１２、１３、１４  細孔
１５、１６、１７  プラグ
１８  箱形容器の排気口
１９、２０、２１、２２、２３  撹拌羽根
２４  中心軸
２５  バイオ菌床材料
２６  回転駆動モータ
２７  切刃部
２８  掬い部
２９  チェーン
３０  コンポスト取出口
３１  コンポスト取出口対応扉
３２  ヒータ
３３  温度センサ
３４  脱臭装置本体
３５  脱臭装置の吸入口
３６  脱臭装置の排気口
３７、３８、４１、４２、４３  仕切り板
３９  脱臭装置の蓋
４４、４５、４６  矢印
４７  吸気ファン
４８  排気筒
４９  チーズ
５０  電磁開閉弁
５１、５２  ホース
５３  物件検出センサ
５４  安全スイッチ
【図１】
2008155090.tif 000003
【図２】
2008155090.tif 000004
【図３】
2008155090.tif 000005
【図４】
2008155090.tif 000006
【図５】
2008155090.tif 000007
【図６】
2008155090.tif 000008
【図７】
2008155090.tif 000009
【図８】
2008155090.tif 000010
【図９】
2008155090.tif 000011